(57)【要約】【目的】  環境を破壊することなく、自然界に存在する花粉より得たビーポリンエキスを石鹸に配合することにより、皮膚に保湿効果をもたらす石鹸を得ることを目的とした。【構成】  蜂が集めた花粉をアルコール溶液に一定期間浸漬して抽出し、得たビーポリンエキスを透明石鹸又は液体石鹸或いは固形石鹸に配合してなるポリン石鹸。【効果】  ビーポリンエキスの働きにより、皮膚に対する保湿効果を持ち、かつ、皮膚を保護する。【実用新案登録請求の範囲】
【請求項１】
蜂が集めた花粉をアルコール溶液に一定期間浸漬して抽出し、得たビーポリンエキスを透明石鹸に配合してなる保湿効果を持つポリン石鹸。
【請求項２】
請求項１に記載するビーポリンエキスを液体石鹸（ボディソープ）に配合してなる保湿効果を持つポリン石鹸。
【請求項３】
請求項１に記載するビーポリンエキスを固形石鹸に配合してなる保湿効果を持つポリン石鹸。
【考案の詳細な説明】
【考案の詳細な説明】
【産業上の利用分野】
【０００１】  本考案は、蜂が集めた花粉をアルコール溶液に約数週間浸漬して抽出し、得たビーポリンエキスを石鹸に配合することにより、皮膚に保湿効果をもたらすポリン石鹸を得るものである。
【背景技術】
【０００２】  従来の石鹸が有する効果は、透明性と起泡性と低膨張潤性を保持するカルボンサン類を必須の成分とする（特開平２００１−１２３１９５）、或いは透明にするための透明剤（特開平０８−２６８８７６）、長期間保存しても白化し難い透明石鹸（特開平０６−４１５９５）、透明性と重量の維持安定（特開平０９−３１００９６）、保湿効果を得るため多価アルコール又は糖類やカルボン酸誘導体又はその塩から構成されたもの（特開平０９−２４１６９０）、配合材料に純米醸造酒を配合し皮膚に保湿感を残し、肌荒れを防ぐ（特開平０９−４０５４７）、花粉化粧料の製造方法（特許公開昭５２−９０６３５）これは花粉入りの化粧料としてクリーム、乳液、パック、化粧水、酸性化粧水、アルカリ性化粧水などに利用するもの、様々な花粉から花粉エキスを製造する花粉エキスの製造方法（特許出願公開昭６０−２４１６９）等々が見られるが、はちの集めた花粉のエキスを石鹸に配合して保湿効果を高め、且つ環境を汚染しない技術は存在しなかった。
【考案が解決しようとする課題】
【０００３】  本考案は、自然界に存在する天然の物質を利用することにより、環境を破壊する化学物質を一切使用せず、人間の皮膚に保湿効果を持たせ、かつ、これを保護することを目的とするものである。
石鹸は、本来「汚れや垢を落とすのに用いられる洗剤」であり、化学的には高級脂肪酸のアルカリ金属塩である。一般には常温で個体の硬石鹸（ナトリュウム塩）をさし、ほかに、のり状の軟石鹸（カリュウム塩）粉石鹸などがある。いずれも水溶液は塩基性を示し、表面張力を低下させ、起泡力が強い洗剤である。                （「講談社  日本語大辞典」より引用。）
上記の如く本来の浴用石鹸を使用する目的は、人間がその身体に付着した汚れや垢を取り除くために使用するものである。石鹸の使用により皮膚の表面から垢や汚れが取り除かれると、必然的に皮膚の表面が直接外気に触れることとなり、このため皮膚の表面に肌荒れを生じることになる。
本考案によるポリン石鹸を使用して皮膚の汚れや垢を洗い流すと、汚れや垢が落ちた後の皮膚の表面より、ポリン石鹸に含有されているビーポリンエキスが浸透し、その働きにより皮膚の表面が保湿保護され、皮膚の乾燥や肌荒れを防止する効果がある。
【考案の構成】
【０００４】  ビーポリンエキスの基になるビーポリン（花粉）には、良質の蛋白質、アミノ酸他１９種類に及ぶビタミン類、活性ミネラル、酵素、補酵素などの必須栄養素が多量に含まれている。
本考案のビーボリンエキスを採取するための花粉は、蜜蜂の巣の隣に設置した網状のトラップに、蜜蜂が巣に戻ってきたときこのトラップを通過する際に蜜蜂の後ろ足やその中間にある毛に付着していた花粉が引っかかり落下したのを集めたものであり、サラサラとしていてベトつかないものである。
蜜蜂は一回の飛行で１５００の花々を回ってくると言われているが、その精力的な活動の源泉は、受粉しながら蜜蜂自身が花粉を食べるためであり、本考案は、この驚異的に優れた栄養度を持つビーポリンに注目した結果、このビーポリンよりビーポリンエキスをアルコール溶液に、一定期間即ち、約数週間浸漬した結果抽出することに成功した。このビーポリンエキスを石鹸に配合し、その保湿効果により皮膚の荒れを防止するものである。
本考案で使用する花粉は、種子植物の花粉粒から構成されているものであり、花粉の成分組成は水分３〜１６％，粗タンパク質５，９〜２８，３％，アミノ酸及び遊離アミノ酸１４，６〜２１，９％，脂質１〜２０％，炭水化物４４％，脂単糖類４〜１０％，フラボノイド類２〜２，５％，ビタミン類が１９〜２４種類などが含まれいる。
従来花粉の用途は薬効を取り入れた食品や、医薬と香粧品業界ではクリームやローションに、また健康食品やハーブテイなどの補助食品として錠剤、カプセル、飲料、シロップなどに利用されていたが、本考案のように石鹸に利用されたことは全く無かった。
【実施例】
【０００５】  蜂が集めた花粉をアルコール溶液に一定期間浸漬した結果、得られるビーポリンエキスの割合は、花粉１００グラムよりビーポリンエキス１０グラムを、又、花粉１キログラムよりビーポリンエキスを１００グラム抽出できた。これにより花粉の重量の１０％程度のビーポリンエキスがえられることが判明した。ビーポリンエキスの濃度を１％又は１０％のものを作る方法は以下の通りである。
即ち、１％濃度のビーポリンエキスを１０００グラム作る場合は、花粉１０グラムにアルコールを９９０グラム配合し、合計１０００グラムとしたものを数週間置いておくと花粉がアルコールに溶解する。その後花粉の混じつたアルコール溶液をガーゼなどを使用して、ろ過すると１％のビーポリンエキスを含有するアルコール溶液が約１０００グラム得られる。
また、１０％濃度のビーポリンエキスを作る場合は、花粉１００グラムにアルコールを９００グラム配合し合計１０００グラムとしたものを数週間放置し、花粉がアルコール溶液に溶解したのをガーゼなどを使用して、ろ過すると１０％のビーポリンエキスを含むアルコール溶液が約１０００グラム得られる。上記の如くビーポリンエキスの濃度は、花粉とアルコールの量を調節することにより求める濃度のビーポリンエキスが容易に得ることができる。
なお、花粉とアルコールの測定はドイツメトラー社製造の秤量機器を使用。
このようにして得たビーポリンエキスを１％配合した石鹸と、ビーポリンエキスを１０％配合した透明石鹸をそれぞれ使用し、その効果を試してみた。
その結果、ビーポリンエキスを１０％配合した透明石鹸は、ビーポリンエキスを１％配合した透明石鹸と比較した場合、明瞭に皮膚の保湿効果が高くなっていることがわかり、これによって「皮膚の表面がツヤツヤし、シットリとする」という大きな効果を得られることが証明された。
【考案の効果】
【０００６】  ビーポリンエキスを配合した石鹸を使用すると、皮膚はビーポリンエキスが含有している良質の蛋白質、アミノ酸、１９種類のビタミン類、活性ミネラル、酵素、補酵素などの栄養素を吸収する。皮膚はこの働きによって、シットリとし、ツヤツヤとした深い潤いが得られるという優れた保湿効果がある。
0003116958.tif 000002
【手続補正書】
【提出日】平成17年6月15日(2005.6.15)
【手続補正１】
【補正対象書類名】実用新案登録請求の範囲
【補正対象項目名】全文
【補正方法】変更
【補正の内容】
【実用新案登録請求の範囲】
【請求項１】
蜂が集めた花粉をアルコール溶液に一定期間浸漬して抽出し、得たビーポリンエキスを透明石鹸に配合してなる保湿効果を持つポリン石鹸。
【請求項２】
請求項１に記載するビーポリンエキスを液体石鹸に配合してなる保湿効果を持つポリン石鹸。
【請求項３】
請求項１に記載するビーポリンエキスを固形石鹸に配合してなる保湿効果を持つポリン石鹸。
【手続補正２】
【補正対象書類名】図面
【補正対象項目名】全図
【補正方法】追加
【補正の内容】
【図１】
0003116958.tif 000003
【図２】
0003116958.tif 000004
【図３】
0003116958.tif 000005
【図４】
0003116958.tif 000006
【図５】
0003116958.tif 000007
【図６】
0003116958.tif 000008
【手続補正３】
【補正対象書類名】明細書
【補正対象項目名】全文
【補正方法】変更
【補正の内容】
【考案の詳細な説明】
【産業上の利用分野】
【０００１】  本考案は、蜂が集めた花粉をアルコール溶液に約数週間浸漬して抽出し、得たビーポリンエキスを石鹸に配合することにより、皮膚に保湿効果をもたらすポリン石鹸を得るものである。
【背景技術】
【０００２】  従来の石鹸が有する効果は、透明性と起泡性と低膨張潤性を保持するカルボンサン類を必須の成分とする（特開平２００１−１２３１９５）、或いは透明にするための透明剤（特開平０８−２６８８７６）、長期間保存しても白化し難い透明石鹸（特開平０６−４１５９５）、透明性と重量の維持安定（特開平０９−３１００９６）、保湿効果を得るため多価アルコール又は糖類やカルボン酸誘導体又はその塩から構成されたもの（特開平０９−２４１６９０）、配合材料に純米醸造酒を配合し皮膚に保湿感を残し、肌荒れを防ぐ（特開平０９−４０５４７）、花粉化粧料の製造方法（特許公開昭５２−９０６３５）これは花粉入りの化粧料としてクリーム、乳液、パック、化粧水、酸性化粧水、アルカリ性化粧水などに利用するもの、様々な花粉から花粉エキスを製造する花粉エキスの製造方法（特許出願公開昭６０−２４１６９）等々が見られるが、はちの集めた花粉のエキスを石鹸に配合して保湿効果を高め、且つ環境を汚染しない技術は存在しなかった。
【考案が解決しようとする課題】
【０００３】  本考案は、自然界に存在する天然の物質を利用することにより、環境を破壊する化学物質を一切使用せず、人間の皮膚に保湿効果を持たせ、かつ、これを保護することを目的とするものである。
石鹸は、本来「汚れや垢を落とすのに用いられる洗剤」であり、化学的には高級脂肪酸のアルカリ金属塩である。一般には常温で個体の硬石鹸（ナトリュウム塩）をさし、ほかに、のり状の軟石鹸（カリュウム塩）粉石鹸などがある。いずれも水溶液は塩基性を示し、表面張力を低下させ、起泡力が強い洗剤である。（「講談社  日本語大辞典」より引用。）
上記の如く本来の浴用石鹸を使用する目的は、人間がその身体に付着した汚れや垢を取り除くために使用するものである。石鹸の使用により皮膚の表面から垢や汚れが取り除かれると、必然的に皮膚の表面が直接外気に触れることとなり、このため皮膚の表面に肌荒れを生じることになる。
本考案によるポリン石鹸を使用して皮膚の汚れや垢を洗い流すと、汚れや垢が落ちた後の皮膚の表面より、ポリン石鹸に含有されているビーポリンエキスが浸透し、その働きにより皮膚の表面が保湿保護され、皮膚の乾燥や肌荒れを防止する効果がある。
【考案の構成】
【０００４】  ビーポリンエキスの基になるビーポリン（花粉）には、良質の蛋白質、アミノ酸他１９種類に及ぶビタミン類、活性ミネラル、酵素、補酵素などの必須栄養素が多量に含まれている。
本考案のビーボリンエキスを採取するための花粉は、蜜蜂の巣の隣に設置した網状のトラップに、蜜蜂が巣に戻ってきたときこのトラップを通過する際に蜜蜂の後ろ足やその中間にある毛に付着していた花粉が引っかかり落下したのを集めたものであり、サラサラとしていてベトつかないものである。
蜜蜂は一回の飛行で１５００の花々を回ってくると言われているが、その精力的な活動の源泉は、受粉しながら蜜蜂自身が花粉を食べるためであり、本考案は、この驚異的に優れた栄養度を持つビーポリンに注目した結果、このビーポリンよりビーポリンエキスをアルコール溶液に、一定期間即ち、約数週間浸漬した結果抽出することに成功した。このビーポリンエキスを石鹸に配合し、その保湿効果により皮膚の荒れを防止するものである。
本考案で使用する花粉は、種子植物の花粉粒から構成されているものであり、花粉の成分組成は水分３〜１６％，粗タンハク質５，９〜２８，３％，アミノ酸及び遊離アミノ酸１４，６〜２１，９％，脂質１〜２０％，炭水化物４４％，脂単糖類４〜１０％，フラボノイド類２〜２，５％，ビタミン類が１９〜２４種類などが含まれいる。
従来花粉の用途は薬効を取り入れた食品や、医薬と香粧品業界ではクリームやローションに、また健康食品やハーブテイなどの補助食品として錠剤、カプセル、飲料、シロップなどに利用されていたが、本考案のように石鹸に利用されたことは全く無かった。
【実施例】
【０００５】  蜂が集めた花粉をアルコール溶液に一定期間浸漬した結果、得られるビーポリンエキスの割合は、花粉１００グラムよりビーポリンエキス１０グラムを、又、花粉１キログラムよりビーポリンエキスを１００グラム抽出できた。これにより花粉の重量の１０％程度のビーポリンエキスがえられることが判明した。ビーポリンエキスの濃度を１％又は１０％のものを作る方法は以下の通りである。
即ち、１％濃度のビーポリンエキスを１０００グラム作る場合は、花粉１０グラムにアルコールを９９０グラム配合し、合計１０００グラムとしたものを数週間置いておくと花粉がアルコールに溶解する。その後花粉の混じつたアルコール溶液をガーゼなどを使用して、ろ過すると１％のビーポリンエキスを含有するアルコール溶液が約１０００グラム得られる。
また、１０％濃度のビーポリンエキスを作る場合は、花粉１００グラムにアルコールを９００グラム配合し合計１０００グラムとしたものを数週間放置し、花粉がアルコール溶液に溶解したのをガーゼなどを使用して、ろ過すると１０％のビーポリンエキスを含むアルコール溶液が約１０００グラム得られる。上記の如くビーポリンエキスの濃度は、花粉とアルコールの量を調節することにより求める濃度のビーポリンエキスが容易に得ることができる。
なお、花粉とアルコールの測定はドイツメトラー社製造の秤量機器を使用。
このようにして得たビーポリンエキスを１％配合した石鹸と、ビーポリンエキスを１０％配合した透明石鹸をそれぞれ使用し、その効果を試してみた。
その結果、ビーポリンエキスを１０％配合した透明石鹸は、ビーポリンエキスを１％配合した透明石鹸と比較した場合、明瞭に皮膚の保湿効果が高くなっていることがわかり、これによって「皮膚の表面がツヤツヤし、シットリとする」という大きな効果を得られることが証明された。
【考案の効果】
【０００６】  ビーポリンエキスを配合した石鹸を使用すると、皮膚はビーポリンエキスが含有している良質の蛋白質、アミノ酸、１９種類のビタミン類、活性ミネラル、酵素、補酵素などの栄養素を吸収する。皮膚はこの働きによって、シットリとし、ツヤツヤとした深い潤いが得られるという優れた保湿効果がある。
【図面の簡単な説明】
【図１】  透明石鹸の平面図
【図２】  透明石鹸の立面図
【図３】  液体石鹸の正面図
【図４】  液体石鹸の立面図
【図５】  固形石鹸の平面図
【図６】  固形石鹸の立面図
【符号の説明】
１  当社の商標
【手続補正書】
【提出日】平成17年9月8日(2005.9.8)
【手続補正１】
【補正対象書類名】実用新案登録請求の範囲
【補正対象項目名】全文
【補正方法】変更
【補正の内容】
【実用新案登録請求の範囲】
【請求項１】
蜂が集めた花粉をアルコール溶液に一定期間浸漬して抽出し、得たビーポリンエキスを透明石鹸に配合してなる保湿効果を持つ六角形をしたポリン石鹸。
【請求項２】
請求項１に記載するビーポリンエキスを液体石鹸に配合してなる保湿効果を持つ三角型の容器に入れたポリン石鹸。
【請求項３】
請求項１に記載するビーポリンエキスを固形石鹸に配合してなる保湿効果を持つ五角型をしたポリン石鹸。
【手続補正２】
【補正対象書類名】図面
【補正対象項目名】全図
【補正方法】変更
【補正の内容】
【図１】
0003116958.tif 000009
【図２】
0003116958.tif 000010
【図３】
0003116958.tif 000011
【図４】
0003116958.tif 000012
【図５】
0003116958.tif 000013
【図６】
0003116958.tif 000014
【図７】
0003116958.tif 000015
【図８】
0003116958.tif 000016
【図９】
0003116958.tif 000017
【手続補正３】
【補正対象書類名】明細書
【補正対象項目名】図面の簡単な説明
【補正方法】変更
【補正の内容】
【図面の簡単な説明】
【図１】  透明石鹸の平面図
【図２】  透明石鹸の立面図
【図３】  透明石鹸を容器に入れた状態を示す平面図
【図４】  液体石鹸を容器に入れた正面図
【図５】  液体石鹸を容器に入れた立面図
【図６】  液体石鹸を包装容器に入れた状態を示す平面図
【図７】  固形石鹸の平面図
【図８】  固形石鹸の立面図
【図９】  固形石鹸を容器に入れた状態を示す平面図